(57)【要約】【課題】オブジェクト単位で画像やデータを処理し、各オブジェクト単位に配信先をグループ分けして選択するオブジェクト選択配信方法を提供する。【解決手段】操作部１００にて読み込んだ画像をオブジェクト単位に分割して、表示画像読取部２０１にて読み取り、画像データ作成部２０２にてオブジェクト単位に画像データに変換し、かつ、各オブジェクトの配置位置を配置位置設定部２０３にて設定して、それぞれ、データ送信部２０５に送るとともに、操作部１００から入力されたオブジェクト単位の配信先をグループ設定部２０４にてグループ分けしたグループとして設定してデータ送信部２０５に送る。データ送信部２０５は、画像選択配信装置３００に送信し、画像選択配信装置３００の画像作成部３０２にて配信先ごとの画像を作成するとともに、作成した画像をグループフィルタ部３０３にてグループとして選択された配信先に配信する。【選択図】        図１
2010231696.tif 000002
【特許請求の範囲】
【請求項１】
画像またはデータをオブジェクト単位に配信先を選択して配信するオブジェクト選択配信方法であって、画像またはデータをオブジェクト単位に分割する分割ステップと配信先を分割したオブジェクト単位にグループ分けして設定するグループ設定ステップとを有していることを特徴とするオブジェクト選択配信方法。
【請求項２】
前記グループ設定ステップにおいて、前記オブジェクト単位に表示または非表示をグループごとに設定することを特徴とする請求項１に記載のオブジェクト選択配信方法。
【請求項３】
前記分割ステップにおいて分割したオブジェクトごとに異なるウィンドウに画面表示し、前記グループ設定ステップにおいて、前記ウィンドウそれぞれに配信先を示すグループ情報を設定することを特徴とする請求項１または２に記載のオブジェクト選択配信方法。
【請求項４】
画像またはデータをオブジェクト単位に配信先を選択して配信するオブジェクト選択配信システムであって、画像またはデータをオブジェクト単位に分割する分割手段と配信先を分割したオブジェクト単位にグループ分けして設定するグループ設定手段とを備えていることを特徴とするオブジェクト選択配信システム。
【請求項５】
前記グループ設定手段において、前記オブジェクト単位に表示または非表示をグループごとに設定することを特徴とする請求項４に記載のオブジェクト選択配信システム。
【請求項６】
前記分割手段において分割したオブジェクトごとに異なるウィンドウに画面表示し、前記グループ設定手段において、前記ウィンドウそれぞれに配信先を示すグループ情報を設定することを特徴とする請求項４または５に記載のオブジェクト選択配信システム。
【請求項７】
請求項１ないし３のいずれかに記載のオブジェクト選択配信方法を、コンピュータによって実行可能なプログラムとして実施していることを特徴とするオブジェクト選択配信プログラム。
【請求項８】
請求項７に記載のオブジェクト選択配信プログラムを、コンピュータによって読み取り可能な記録媒体に記録していることを特徴とするプログラム記録媒体。
【発明の詳細な説明】
【技術分野】
【０００１】
本発明は、オブジェクト選択配信方法、オブジェクト選択配信システム、オブジェクト選択配信プログラムおよびプログラム記録媒体に関する。
【背景技術】
【０００２】
特許文献１の特開２００８-０２６４２６号公報「表示システム及び表示システムで実行される表示制御方法」に記載のように、一つの大きな画面上に複数の画像データをリアルタイムに表示する技術が開示されている。該特許文献１の技術は、複数の各表示グループに表示する画像データの大きさ、処理時間を基にして、次の画像フレームに対する表示グループ割、各処理割り振りを決定して、その割り振りに応じて次の画像フレームを該当する表示グループへ割り振るというものである。
【先行技術文献】
【特許文献】
【０００３】
【特許文献１】特開２００８-０２６４２６号公報（第４−６頁）
【発明の概要】
【発明が解決しようとする課題】
【０００４】
しかしながら、前記特許文献１のような技術の場合、配信先を分けて画像表示やプレゼンテーションを行いたい場合、それぞれの画像用の全体画面を複数作成し、その上で、画面作成操作を実施していた。
【０００５】
また、それぞれの画像や配信オブジェクトの配信先を変更したい場合、それぞれを配信先変更操作の専用画面もしくは専用装置によって、配信先の変更操作を行うことは可能であるが、例えばプレゼンテーションなどの場合のように、単一画面で、変更操作を行いたい場合には、操作を単一画面で行うため、配信先に表示されてしまう恐れがあった。また、それぞれのオブジェクトを選択して配信することはできなかった。
【０００６】
本発明は、かかる事情に鑑みてなされたものであり、オブジェクト単位で画像やデータを処理し、各オブジェクト単位に配信先をグループ分けして選択することを可能とするオブジェクト選択配信方法、オブジェクト選択配信システム、オブジェクト選択配信プログラムおよびプログラム記録媒体を提供することを、その目的としている。
【課題を解決するための手段】
【０００７】
前述の課題を解決するため、本発明によるオブジェクト選択配信方法、オブジェクト選択配信システム、オブジェクト選択配信プログラムおよびプログラム記録媒体は、次のような特徴的な構成を採用している。下記（１）及び（４）なる番号は請求項の項番号にそれぞれ対応している。
（１）画像またはデータをオブジェクト単位に配信先を選択して配信するオブジェクト選択配信方法であって、画像またはデータをオブジェクト単位に分割する分割ステップと配信先を分割したオブジェクト単位にグループ分けして設定するグループ設定ステップとを有しているオブジェクト選択配信方法。
（４）画像またはデータをオブジェクト単位に配信先を選択して配信するオブジェクト選択配信システムであって、画像またはデータをオブジェクト単位に分割する分割手段と配信先を分割したオブジェクト単位にグループ分けして設定するグループ設定手段とを備えている選択配信システム。
【発明の効果】
【０００８】
本発明のオブジェクト選択配信方法、オブジェクト選択配信システム、オブジェクト選択配信プログラムおよびプログラム記録媒体によれば、以下のような効果を奏することができる。
【０００９】
表示されるオブジェクト単位に画像やデータを分割して作成し、かつ、オブジェクト単位に配信先をグループ分けするので、すべてのオブジェクトについて、配信先となるグループごとの表示／非表示を設定することができる。
【００１０】
操作を行うユーザは、表示フラグの変更、グループ分けの変更を、単一画面上の作業によって実施することができる。
【００１１】
また、配信先の変更操作を行うオブジェクトには配信先表示をしないので、配信先に気付かれることなく、変更作業を実施することができる。
【００１２】
オブジェクトの選択配信方法を、配信先ではなく、配信元のユーザが決定しているので、例えば、配信先へオブジェクトを配信している最中に、オブジェクトをリアルタイムに変更し、かつ、選択して配信することもできる。
【００１３】
オブジェクトに対応するウィンドウそれぞれに配信先グループを選択していることによって、配信先をグループに所属させる操作のみで配信先を変更することができる。
【００１４】
グループ情報付加操作による変更のタイムラグが少なければ、単一画面での操作で、リアルタイムな配信先の選択を実現することができる。
【図面の簡単な説明】
【００１５】
【図１】本発明によるオブジェクト選択配信システムのシステム構成の一例を示すシステム構成図である。
【図２】図１のオブジェクト選択配信システムにおいて画像データをグループ分けした配信先にオブジェクト単位で配信する動作の一例を示すフローチャートである。
【図３】図１のオブジェクト選択配信システムにおいてグループ分けを行うグループデータを作成する動作の一例を示すフローチャートである。
【発明を実施するための形態】
【００１６】
以下、本発明によるオブジェクト選択配信方法、オブジェクト選択配信システム、オブジェクト選択配信プログラムおよびプログラム記録媒体の好適な実施例について添付図を参照して説明する。なお、以下の説明においては、本発明によるオブジェクト選択配信方法、オブジェクト選択配信システムについて説明するが、かかるオブジェクト選択配信方法をコンピュータにより実行可能なオブジェクト選択配信プログラムとして実施するようにしても良いし、あるいは、オブジェクト選択配信プログラムをコンピュータにより読み取り可能な記録媒体に記録するようにしても良いことは言うまでもない。
【００１７】
（本発明の特徴）
本発明の実施形態の説明に先立って、本発明の特徴についてその概要をまず説明する。本発明は、オブジェクト単位で画像やデータを処理し、各オブジェクト単位に配信先を選択し、選択した配信先に対して該当するオブジェクトを配信することを特徴としている。
【００１８】
つまり、本発明は、オブジェクト単位に画像やデータを分割して作成するとともに、オブジェクト単位に配信先をグループ分けする。オブジェクト単位の各画像や各データには、グループごとの表示可否フラグを設定することによって、オブジェクト単位に配信先を選択することができ、配信することができる。
【００１９】
このとき、単一画面上の作業により、画像やデータの配信変更を実施することができ、かつ、表示ウィンドウつまりそれぞれオブジェクトごとの画像やデータの配信を実現することができる。オブジェクトに対応するウィンドウそれぞれに、配信先グループを選択していくことにより、配信先のグループに所属させる操作することができ、オブジェクト単位で配信先を変更することができる。
【００２０】
グループ分けの作業を単一画面上で実施しても、操作を行うウィンドウには配信先の表示をしないこととすることにより、配信者には操作は見えない。さらに、グループ変更操作のみで、リアルタイムにグループ分けの変更を実施することが可能である。
【００２１】
（本発明の実施形態）
本発明によるオブジェクト選択配信システムのシステム構成の一例を、図１を用いて説明する。図１は、本発明によるオブジェクト選択配信システムのシステム構成の一例を示すシステム構成図である。
【００２２】
図１に示すように、本実施形態のオブジェクト選択配信システムは、操作部１００、画像処理装置２００、画像選択配信装置３００、第１の配信先装置４１０、第２の配信先装置４２０、第３の配信先装置４３０、…、第Ｎの配信先装置４Ｎ０から構成される。
【００２３】
画像処理装置２００は、表示画像読取部２０１、画像データ作成部２０２、配置位置設定部２０３、グループ設定部２０４、データ送信部２０５から構成される。画像選択配信装置３００は、データ受信部３０１、画像作成部３０２、グループフィルタ部３０３から構成される。
【００２４】
また、第１の配信先装置４１０は、配信画像部４１１、背景画像部４１２、画像合成部４１３、映像部４１４から構成される。第２の配信先装置４２０、第３の配信先装置４３０、…、第Ｎの配信先装置４Ｎ０は、いずれも、第１の配信先装置４１０と同一の構成からなっている。
【００２５】
（実施形態の動作の説明）
次に、図１に示すオブジェクト選択配信システムの動作の一例を、図２、図３のフローチャートを用いて説明する。図２は、図１のオブジェクト選択配信システムにおいて画像データをグループ分けした配信先にオブジェクト単位で配信する動作の一例を示すフローチャートであり、図３は、図１のオブジェクト選択配信システムにおいてグループ分けを行うグループデータを作成する動作の一例を示すフローチャートである。
【００２６】
まず、図２のフローチャートを用いて、画像データをグループ分けした配信先にオブジェクト単位で配信する動作について説明する。まず、ユーザは配信する画像を操作部１００にセットし、画像処理装置２００に読み込ませて、オブジェクトごとの画像データとして作成する操作を行うと（ステップＳ１）、画像処理装置２００の表示画像読取部２０１の分割手段は、オブジェクト単位に分けて当該画像を読み込む（ステップＳ２）。
【００２７】
表示画像読取部２０１によってオブジェクト単位に読み込まれた画像は、画像データ作成部２０２により、画像処理が可能な画像データＡ１，Ａ２，…，Ａｉに変換されて、データ送信部２０５に出力される（ステップＳ３）。一方、表示画像読取部２０１によってオブジェクト単位に読み込まれた画像それぞれの配置位置Ｂ１，Ｂ２，…，Ｂｉは、配置位置設定部２０３によってそれぞれのウィンドウを示すデータとして設定されて、データ送信部２０５に出力される（ステップＳ４）。
【００２８】
ユーザは、当該画像を配信する配信先をオブジェクトごとに指定する操作も操作部１００によって行っており、ユーザによって指定されている配信先は、グループ設定部２０４において、該当するオブジェクトごとの配信先を指定するグループデータＣ１，Ｃ２，…，Ｃｊとして作成されて、データ送信部２０５に出力される（ステップＳ５）。
【００２９】
データ送信部２０５は、出力されてきたオブジェクト単位の画像データＡ１，Ａ２，…，Ａｉ、オブジェクト単位の配置位置Ｂ１，Ｂ２，…，Ｂｉ、配信先のグループを示すグループデータＣ１，Ｃ２，…，Ｃｊを、画像選択配信装置３００に転送する（ステップＳ６）。
【００３０】
画像選択配信装置３００は、転送されてきた画像データＡ１，Ａ２，…，Ａｉ、配置位置Ｂ１，Ｂ２，…，Ｂｉ、グループデータＣ１，Ｃ２，…，Ｃｊをデータ受信部３０１によって受信して（ステップＳ７）、画像作成部３０２において、画像データＡ１，Ａ２，…，Ａｉのうちグループごとに指定されている画像データに基づいてそれぞれの画像を作成し、配置位置Ｂ１，Ｂ２，…，Ｂｉにより指定されている配置位置に配置して、グループデータＣ１，Ｃ２，…，Ｃｊによって指定されている配信先装置に配信する画像Ｄ１，Ｄ２，…，Ｄｊを作成する（ステップＳ８）。
【００３１】
グループフィルタ部３０３は、グループデータＣ１，Ｃ２，…，Ｃｊに基づいて、第１の配信先装置４１０、第２の配信先装置４２０、第３の配信先装置４３０、…、第Ｎの配信先装置４Ｎ０のうち、いずれかの配信先装置を決定するフィルタリング処理を行い、作成された画像Ｄ１，Ｄ２，…，Ｄｊを決定した配信先装置それぞれに配信する（ステップＳ９）
【００３２】
第１の配信先装置４１０が、画像選択配信装置３００のグループフィルタ部３０３にて選択されている配信先装置としてフィルタリングされた場合、配信画像部４１１は、画像選択配信装置３００からの画像Ｄ１を受信し、画像合成部４１３にて、背景画像部４１２からのデフォルト背景もしくは当該第１の配信先装置４１０に固有の背景画像と重ね合わせて、映像部４１４に表示する（ステップＳ１０）。
【００３３】
次に、図３のフローチャートを用いて、図１の画像処理装置２００のグループ設定部２０４において用いられる配信先を変更するグループデータを作成する動作の一例について説明する。なお、グループデータの変更作成に関する操作は、画像をオブジェクトごとの画像データに作成するユーザの操作（図２のステップＳ１に示した操作）に含まれる。
【００３４】
操作部１００にてユーザによってオブジェクトごとの配信先を示すグループを変更する操作が行われると、変更されたグループ情報が各オブジェクトに付加される（ステップＳ２１）。画像処理装置２００のグループ設定部２０４は、各オブジェクトに付加されているグループ情報を読み込むことによって、グループデータの変更処理を行い、ステップＳ５に示した場合と同様に、該当するオブジェクトごとのグループデータＣ１，Ｃ２，…，Ｃｊとして作成する（ステップＳ２２）。ただし、グループの要素は配信先を指定するためのメンバで構成される。例えば、ノード単位、個人ユーザ単位のいずれも配信先を構成する要素となる。
【００３５】
以上のように、図１に示すオブジェクト選択配信システムにおいては、画像をオブジェクト単位に、その配信先をグループ分けして配信したい場合に好適に適用することができる。例えば、次のような応用が可能である。
【００３６】
（１）プレゼンテーション資料内の各オブジェクトに、配信先を示すグループ情報を付加するとともに、各オブジェクトの表示／非表示を、配信先によって選択して設定することができ、配信先に応じて選択したプレゼンテーション資料を作成することができる。
【００３７】
（２）社内限定情報に関するオブジェクトが実行される画像については、グループ情報の設定により、社員のみに配信されるように設定することもできる。
【００３８】
（３）配信される画像を用いて講義している際に、視聴者それぞれの理解度に応じて、オブジェクトの配信先をリアルタイムに分けて配信することができる。
【００３９】
（４）サーバのモニタリングを実施しているサービスなどにおいて、主モニタ(単一画面)においては、当該サーバ全体をモニタリングしている画像を表示させるが、各製品部門のモニタ画面には、それぞれの製品ごとに対応する画像を表示させることができる。
【００４０】
（５）障害発生時には、関連製品の情報を、必要に応じて、表示させることもできる。さらに、お客様へ配信する画像には、障害が発生している画像のみを表示させることもできる。
【００４１】
（６）医療現場にて、必要に応じて、各部位の監視画像、監視画面を担当ステーションに送信することもできる。
【００４２】
（実施形態の効果の説明）
本実施形態によれば、表示されるオブジェクト単位に画像やデータを分割して作成し、かつ、オブジェクト単位に配信先をグループ分けするので、すべてのオブジェクトについて、配信先となるグループごとの表示／非表示を設定することができる。
【００４３】
操作を行うユーザは、表示フラグの変更、グループ分けの変更を、単一画面上の作業によって実施することができる。
【００４４】
また、配信先の変更操作を行うオブジェクトには配信先表示をしないので、配信先に気付かれることなく、変更作業を実施することができる。
【００４５】
オブジェクトの選択配信方法を、配信先ではなく、配信元のユーザが決定しているので、例えば、配信先へオブジェクトを配信している最中に、オブジェクトをリアルタイムに変更し、かつ、選択して配信することもできる。
【００４６】
オブジェクトに対応するウィンドウそれぞれに配信先グループを選択していることによって、配信先をグループに所属させる操作のみで配信先を変更することができる。
【００４７】
グループ情報付加操作による変更のタイムラグが少なければ、単一画面での操作で、リアルタイムな配信先の選択を実現することができる。
【００４８】
（他の実施形態）
配信先装置においては、配信先のユーザの操作により、配信されてきたオブジェクト画像の表示位置を移動させたり、拡大／縮小させたりすることができる。例えば、第１の配信先装置４１０の配信画像部４１１をユーザが操作することができ、画像選択配信装置３００から配信されてきたオブジェクト画像の位置を動かしたり、拡大／縮小させたりすることできる。
【００４９】
また、配信先装置においては、配信されてきたオブジェクト画像と背景画像とを重ね合わせて表示させる例を示したが、一般的な画像配信装置とは異なり、配信されてきたオブジェクト画像とは別に、自装置上のオブジェクト画像を表示させることもできる。例えば、第１の配信先装置４１０の背景画像部４１２において、画像選択配信装置３００から配信されてきたオブジェクト画像とは別に、自装置上のオブジェクト画像を画像合成部４１３を介して映像部４１４から表示させることもできる。
【００５０】
また、グループ情報を用いて配信先を選択して配信するオブジェクトとして、画像の場合を例にとって説明したが、かかるオブジェクトとしては画像以外のものであっても良い。例えば、音声データなどもオブジェクトの一種である。音声データを用いる場合であれば、例えば同時通訳配信などにも適用することができる。
【００５１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）及び（４）に加え、次のような構成として表現できる。下記（２）−（３）及び（５）−（８）なる番号は、請求項の項番号にそれぞれ対応している。
（２）前記グループ設定ステップにおいて、前記オブジェクト単位に表示または非表示をグループごとに設定する上記（１）のオブジェクト選択配信方法。
（３）前記分割ステップにおいて分割したオブジェクトごとに異なるウィンドウに画面表示し、前記グループ設定ステップにおいて、前記ウィンドウそれぞれに配信先を示すグループ情報を設定する上記（１）または（２）のオブジェクト選択配信方法。
（５）前記グループ設定手段において、前記オブジェクト単位に表示または非表示をグループごとに設定する上記（４）のオブジェクト選択配信システム。
（６）前記分割手段において分割したオブジェクトごとに異なるウィンドウに画面表示し、前記グループ設定手段において、前記ウィンドウそれぞれに配信先を示すグループ情報を設定する上記（４）または（５）のオブジェクト選択配信システム。
（７）上記（１）ないし（３）のいずれかのオブジェクト選択配信方法を、コンピュータによって実行可能なプログラムとして実施しているオブジェクト選択配信プログラム。
（８）上記（７）のオブジェクト選択配信プログラムを、コンピュータによって読み取り可能な記録媒体に記録しているプログラム記録媒体。
【符号の説明】
【００５２】
１００      操作部
２００      画像処理装置
２０１      表示画像読取部
２０２      画像データ作成部
２０３      配置位置設定部
２０４      グループ設定部
２０５      データ送信部
３００      画像選択配信装置
３０１      データ受信部
３０２      画像作成部
３０３      グループフィルタ部
４１０      第１の配信先装置
４１１      配信画像部
４１２      背景画像部
４１３      画像合成部
４１４      映像部
４２０      第２の配信先装置
４３０      第３の配信先装置
４Ｎ０      第Ｎの配信先装置
【図１】
2010231696.tif 000003
【図２】
2010231696.tif 000004
【図３】
2010231696.tif 000005